(57)【要約】      （修正有）【課題】花を素材とする造形作品に照明を組み込むことを可能として、華麗で美的にすぐれる造形物を提供し、その場合に花の耐久性などの技術的な問題をも解決する。【解決手段】花１を素材として造形するに際し、作品に照明を組み込むとともにその場合、ＬＥＤなどの非昇温性の光源２を用いることにより、従来は行われていなかった造形作品自体に照明を組み込むことを可能にした。【選択図】図１
0003144497.tif 000002
【実用新案登録請求の範囲】
【請求項１】
花を主な素材とする造形物であって、非昇温性の光源を用いることにより、造形物自体に照明を組み込んだことを特徴とする花を素材とする造形物。
【請求項２】
花を主な素材とする造形物であって、非昇温性の光源としてＬＥＤを用いることにより、造形物自体に照明を組み込んだことを特徴とする花を素材とする造形物。
【考案の詳細な説明】
【技術分野】
【０００１】  本考案は、花を素材とする造形物（造形作品）に関する。本考案は、華麗で美的にすぐれるとともに、花の耐久性などの技術的な問題をも解決した造形作品を提供するものである。特に本考案は、温度上昇による弊害のない光源を用いて花を照明する工夫をほどこしたものであり、本明細書中このような照明つきの作品を便宜上、「イルミネーションフラワー」と称することとする。
【背景技術】
【０００２】  従来より、花を素材として造形した作品は多く知られている。伝統的な華道の分野における作品からさらに、フラワーデザイン、アートフラワー、フラワーアレンジメントなどいろいろの名称で呼ばれる各種のものがある。本考案者は、「フラワーアレンジ」と称し、そのなかでも「プリザーブドフラワーアレンジ」と称する技術を主に扱っているが、本考案自体は、花を素材として造形した作品に対して限定なく汎用できるものである。【０００３】  建物や木を照明して、いわゆるライトアップすることは知られている。しかし花を素材とする造形作品については、作品全体を照明することはあっても、造形作品自体に照明を組み込んでライトアップする提案は見られない。これは、作品自体に照明を組み込むと、照明から発する熱により花の持ちがわるくなり、作品の寿命が劣化することから、そのような発想がなされなかったためではないかと思われる。【０００４】  従来の技術を示す文献に、つぎのようなものがある。  特許第３９５７２１６号「プリザーブドフラワーアレンジ及びその製造方法」に、「プリザーブドフラワーアレンジ」についての開示がある。また出版物として、細谷洋子著『組み替えてつくる新手法ヨーコフラワー』（草土出版、平成１９年１１月）がある。これらに、花を素材とする造形作品に照明を組み込むことの示唆はない。【０００５】
【特許文献１】特許第３９５７２１６号「プリザーブドフラワーアレンジ及びその製造方法」
【非特許文献１】細谷洋子著『組み替えてつくる新手法ヨーコフラワー』（草土出版、平成１９年１１月）
【考案の開示】
【考案が解決しようとする課題】
【０００６】  この考案の課題は、花を素材とする造形作品に照明を組み込むことを可能として、華麗で美的にすぐれる造形物を提供するとともに、その場合に花の耐久性などの技術的な問題をも解決できた造形作品を提供することである。
【課題を解決するための手段】
【０００７】  本考案は、花を素材として造形するに際し、作品に照明を組み込むとともにその場合、非昇温性の光源を用いることにより、従来は行われていなかった造形作品自体に照明を組み込むことを可能にしたものである。非昇温性の光源としては、近年めざましく発達して便利になったＬＥＤを用いることができる。ＬＥＤは温度上昇がないので素材の花に対してやさしくて、作品の長持ちを可能とする。またＬＥＤは現状、単色としてすべての色の発色が可能になるに至っており、任意の単色での照明が可能であり、さらに、七色の発色など、多色発光を組み合わせることができる。かつ、発光のオンオフや、どの色のＬＥＤを発光させるかなどの切り替えが手元操作等で容易に行うことができて便利であり、本考案の実施において用いるのに有利である。【０００８】  本考案の実施においては、素材としての花は、生花、造花、ドライフラワーその他、各種の素材を任意に用いることができる。
【考案の効果】
【０００９】  本考案によれば、従来提案されていなかった造形作品自体に照明を組み込む花の造形作品を提供できる。また本考案によれば、光源により作品の持ちが悪くなるという問題は解決される。これらにより、技術的な問題を残すことなく花のライトアップが可能となり、よって華麗であって美的にすぐれた造形作品を提供することができる。
【考案を実施するための最良の形態】
【００１０】  以下に、本考案の好ましい実施の形態の若干例を、図面を参照して説明する。ただし当然のことではあるが、本考案は以下述べる実施例に限定を受けるものではない。
【実施例１】
【００１１】  図１ないし図８を参照して、本考案を適用したイルミネーションフラワーの第１の実施例を説明する。【００１２】  図１及び図２はこのイルミネーションフラワーを上面から見た図である。図１と図２は同じ作品である。このイルミネーションフラワーにおいては、複数の花１を素材として用いる。素材の花は、生花、造花、ドライフラワーその他、各種の素材を任意に用いることができるものであり、以下の例でも同様である。図１は光源２として用いたＬＥＤを点灯して照明した状態を示す図である。図２は照明していない状態を示す。図３は側方やや斜めから見た図、図４は真ん中部分の花を外して、ＰＥＴボトルのふたを利用して、ＬＥＤを配置する工夫を示した図、図５はその拡大図、図６は１個の花の部分を外してみた図であり、ＰＥＴボトルのふたで花芯の裏を支えている状態を示す。図７は花をＰＥＴボトルの上部とふたで支えている状態の拡大図、図８はＣＤを周囲に配置することで、光を輝かせる工夫を示す図である。【００１３】  このイルミネーションフラワーにあっては、図４及び図５に示すように、ＰＥＴボトルのふた３を利用して、その内部及び外側にＬＥＤを配置するようにしている。このＰＥＴボトルのふた３は、図６及び図７に示すように花１の裏側を支持する役割も果たす。したがって、光源２であるＬＥＤを点灯すると、花１は後ろから照明されることになる。【００１４】  本例のイルミネーションフラワーは、複数の花１のそれぞれについて、ＰＥＴボトルのふた３を利用して光源２としてＬＥＤを配当しているので、イルミネートすると図１に示すように全体が明るく輝き、たいへん優美である。ただし、複数の花１全部に光源２（ＬＥＤ）を配置するのでなく、部分的配置にするのでもよい。光源２（ＬＥＤ）の配置により、絵や文字を表す工夫をすることもできる。【００１５】  また本例では、図４及び図５に示すように、各花１を支えるＰＥＴボトルのふた３には、複数の光源２（ＬＥＤ）を配置するので、いっそう華麗である。各花１に対応する複数の光源２（ＬＥＤ）は、同じ色の発色でも、異なる色の発色でもよく、また、交互に色が変わる工夫をすることもできる。ただし、花１を支えるＰＥＴボトルのふた３に、複数の光源２（ＬＥＤ）でなく１個の光源２（ＬＥＤ）を配置するのでもよい。発色の組み合わせは任意である。【００１６】  また本例では、図８に示すように、イルミネーションフラワー作品の周囲に、輝く面を表にして、ＣＤを配置した。これにより図１に示すように、ライトアップ時には周りのＣＤの面が明るく輝き、いっそうの優美さと華麗さを実現できる。【００１７】  上述のように本考案の適用により、従来は考え付かれていなかった、作品自体に光源を組み込んで照明するフラワー作品を得ることができた。本考案では、ＬＥＤに代表される非昇温性の光源を用いるので、素材である花が熱により劣化することが防がれ、もちのよい製品が得られる。【００１８】  また本例では、ＰＥＴボトルのふた３を利用して、花１の支持と光源２（ＬＥＤ）の配置を行うので、効果的な照明がなされ、かつ、それだけではなく、花１を取り替えることにより、光源２（ＬＥＤ）をそのまま用いて、新たな作品を得ることが可能で��る。【００１９】  以上のように、本考案の適用により、種々の利点を持った新しくかつ美的な造形物を得ることができた。
【実施例２】
【００２０】  次に図９及び図１０を参照して、本考案を適用したイルミネーションフラワーの第２の実施例を説明する。【００２１】  この例は、壁かけ型に造形したものである。図９に示すように、壁にかけられるように木枠上に素材である花１を配置して造形するとともに、図１０に示すように光源２としてＬＥＤを配置する。【００２２】  この例は、壁掛け型であるので平面的に表現できる。任意の部分に任意の発光をあしらうことができるので、好き好きに応じた造形物を得ることができる。絵や文字を光源２（ＬＥＤ）により表現するのに適しているとも言える。たとえば、発光によりＬＯＶＥの文字を表現するなどのことができ、結婚式その他各種イベントに用いるのに便利である。【００２３】  この例も、実施例１と同様な各種工夫をほどこして本考案を適用でき、実施例１と同様な種々の利点を持った新しくかつ美的な造形物を提供できる。
【実施例３】
【００２４】  次に図１１ないし図１３を参照して、本考案を適用したイルミネーションフラワーの第３の実施例を説明する。【００２５】  この例は、「トピアリー」と称する形式の作品に、本考案の造形物を具体化したものである。木で組んだ立体的な外枠に、花をアレンジするとともに、光源２であるＬＥＤを用いて、造形したものである。トピアリーに用いる枠は、既成のものを使用することができる。かご型のような形式のものを用いてもよい。【００２６】  図１１図は側方から見た全体図、図１２は光源２であるＬＥＤ配置の詳細を示す拡大図、図１３はライトをつけた状態を示す図である。【００２７】  この例も、光源２であるＬＥＤにより照明することで、優美な造形物とすることができる。【００２８】  この例も、実施例１と同様な各種工夫をほどこして本考案を適用でき、実施例１と同様な種々の利点を持った新しくかつ美的な造形物を提供できる。
【実施例４】
【００２９】  次に図１４ないし図１６を参照して、本考案を適用したイルミネーションフラワーの第４の実施例を説明する。【００３０】  この例は、本考案を結婚式などで用いるブーケに具体化したものである。図１４図は素材の花の各単品図、図１５はブーケ形にアレンジした全体図、図１６はそれをライトアップ状態を示したものである。【００３１】  この例も、光源２であるＬＥＤにより照明することで、用いる場に応じた優美な造形物とすることができる。結婚式のブーケであれば、各種の色、たとえば七色に輝き、また点滅する照明として、場を盛り上げたりできる。かつ、一般にブーケは手元で持つので、手元スイッチで光源２であるＬＥＤの切り替えを行えるようにして、好きなときに好きな状態のイルミネートを行うように工夫できる。【００３２】  この例も、上述の各実施例と同様な各種工夫をほどこして本考案を適用でき、各実施例と同様な種々の利点を持った新しくかつ美的な造形物を提供できる。
【実施例５】
【００３３】  次に図１７及び図１８を参照して、本考案を適用したイルミネーションフラワーの第５の実施例を説明する。【００３４】  この例は、素材として特殊なドライフラワー加工した花１を用いて具体化したもので、かかる特殊なドライフラワー加工により経時的変色を小さくした素材であるので、イルミネーションフラワーとしての適用が有利なものである。【００３５】  この例における特殊なドライフラワー加工した花１は、特定の乾燥剤を用いて特定のやり方によりドライフラワー加工を行ったものである。これにより経時的変色を小さくし、持ちを良くした。【００３６】  この例も、光源２であるＬＥＤにより照明することで、優美な造形物とすることができる。本例のイルミネーションフラワーは変色が抑えられ、イルミネートした造形物として有利である。【００３７】  この例も、上述の各実施例と同様な各種工夫をほどこして本考案を適用でき、各実施例と同様な種々の利点を持った新しくかつ美的で、さらに持ちのよい造形物を提供できる。
【実施例６】
【００３８】  次に図１９ないし図２１を参照して、本考案を適用したイルミネーションフラワーの第６の実施例を説明する。この例は、花芯を支える支持菅の中に光源２であるＬＥＤを入れてライトアップしたものである。【００３９】  図１９は本例を側面から見た図、図２０は上面から見た図、図２１図は側面から見た拡大詳細図である。【００４０】  この例は、花芯を支える支持菅の中に光源２であるＬＥＤを入れる構造であるので、ＬＥＤの交換が容易である。ＬＥＤは発色やその他の特性が違うものがいろいろと提供されているので、必要に応じて、容易に交換して、所望の効果を得るようにできる。【００４１】  また、ＬＥＤは高価であるので、この構造であれば、素材と光源とを順次任意に交換したり組み替えることが容易であるので、有利である。【００４２】  この例も、上述の各実施例と同様な各種工夫をほどこして本考案を適用でき、各実施例と同様な種々の利点を持った新しくかつ美的で、さらに持ちのよい造形物を提供できる。
【図面の簡単な説明】
【００３６】
【図１】本考案の実施例１を示す図である。
【図２】本考案の実施例１を示す図である。
【図３】本考案の実施例１を示す図である。
【図４】本考案の実施例１を示す図である。
【図５】本考案の実施例１を示す図である。
【図６】本考案の実施例１を示す図である。
【図７】本考案の実施例１を示す図である。
【図８】本考案の実施例１を示す図である。
【図９】本考案の実施例２を示す図である。
【図１０】本考案の実施例２を示す図である。
【図１１】本考案の実施例３を示す図である。
【図１２】本考案の実施例３を示す図である。
【図１３】本考案の実施例３を示す図である。
【図１４】本考案の実施例４を示す図である。
【図１５】本考案の実施例４を示す図である。
【図１６】本考案の実施例４を示す図である。
【図１７】本考案の実施例５を示す図である。
【図１８】本考案の実施例５を示す図である。
【図１９】本考案の実施例６を示す図である。
【図２０】本考案の実施例６を示す図である。
【図２１】本考案の実施例６を示す図である。
【符号の説明】
【００３７】１    花（素材）
２    光源（ＬＥＤ）
３    ＰＥＴボトルのふた（ＬＥＤ配置及び花の支持用）
【図１】
0003144497.tif 000003
【図２】
0003144497.tif 000004
【図３】
0003144497.tif 000005
【図４】
0003144497.tif 000006
【図５】
0003144497.tif 000007
【図６】
0003144497.tif 000008
【図７】
0003144497.tif 000009
【図８】
0003144497.tif 000010
【図１０】
0003144497.tif 000011
【図９】
0003144497.tif 000012
【図１１】
0003144497.tif 000013
【図１２】
0003144497.tif 000014
【図１３】
0003144497.tif 000015
【図１４】
0003144497.tif 000016
【図１５】
0003144497.tif 000017
【図１６】
0003144497.tif 000018
【図１７】
0003144497.tif 000019
【図１８】
0003144497.tif 000020
【図１９】
0003144497.tif 000021
【図２０】
0003144497.tif 000022
【図２１】
0003144497.tif 000023